【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
受信デバイスにおけるワイヤレス通信のための方法であって、前記受信デバイスはユーザ機器（ＵＥ）であり、前記方法は、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を備え、
ＨＡＲＱフィードバックとして含むための情報を決定するための前記条件を判断することは、
前記受信デバイスが、それの通信を制限するために電力制限されていることを決定し、前記決定に少なくとも部分的に基づいて、ＨＡＲＱフィードバックがオフにされるべきことを決定することを備える、方法。
【請求項２】
前記条件に少なくとも部分的に基づいて前記ＨＡＲＱフィードバック動作を修正することは、
否定応答（ＮＡＫ）報告を排除するために前記ＨＡＲＱフィードバック動作を修正することを備える、請求項１に記載の方法。
【請求項３】
ＮＡＫ報告を排除するために前記ＨＡＲＱフィードバック動作を修正することは、制御チャネルにおいて受信される指示に少なくとも部分的に基づいてＮＡＫ報告を排除することと、前記受信デバイスにおける基準信号の受信された電力が所定のしきい値を下回ることの決定に少なくとも部分的に基づいてＮＡＫ報告を排除することとのどちらか一方または両方を備える、請求項２に記載の方法。
【請求項４】
前記条件に少なくとも部分的に基づいて前記ＨＡＲＱフィードバック動作を修正することは、
肯定応答（ＡＣＫ）報告を排除するために前記ＨＡＲＱフィードバック動作を修正することを備える、請求項１に記載の方法。
【請求項５】
前記ＨＡＲＱフィードバック動作が修正されたことの指示を、前記データ送信を送った送信デバイスに送信することをさらに備える、請求項１に記載の方法。
【請求項６】
前記指示を送信することは、
非周期的な要求に応答して、または周期的に、前記指示を送信すること、または、
メディア・アクセス制御（ＭＡＣ）レイヤ・ペイロードの一部として、または物理レイヤ・ペイロードの一部として前記指示を含むことを備える、請求項５に記載の方法。
【請求項７】
受信デバイスにおけるワイヤレス通信のための装置であって、前記受信デバイスはユーザ機器（ＵＥ）であり、前記装置は、
データ送信を受信するための手段と、
前記データ送信に応答してハイブリッド自動再送要求（ＨＡＲＱ）フィードバックとして含むための情報を決定するための条件を判断するための手段と、
前記条件に少なくとも部分的に基づいてＨＡＲＱフィードバック動作を修正するための手段と、を備え、
ＨＡＲＱフィードバックとして含むための情報を決定するための前記条件を判断するための前記手段は、
前記受信デバイスが、それの通信を制限するために電力制限されていることを決定し、前記決定に少なくとも部分的に基づいて、ＨＡＲＱフィードバックがオフにされるべきことを決定するための手段を備える、装置。
【請求項８】
前記条件に少なくとも部分的に基づいて前記ＨＡＲＱフィードバック動作を修正するための前記手段は、
否定応答（ＮＡＫ）報告を排除するために前記ＨＡＲＱフィードバック動作を修正するための手段を備える、請求項７に記載の装置。
【請求項９】
送信デバイスにおけるワイヤレス通信のための方法であって、前記送信デバイスは基地局であり、前記方法は、
ユーザ機器（ＵＥ）にデータ送信を送信することと、
それの通信を制限するために電力制限されている前記ＵＥからＨＡＲＱフィードバックの不在を受信することと、を備える、方法。
【請求項１０】
サウンディング基準信号（ＳＲＳ）送信を使用してチャネル条件を推定することと、
チャネル条件の前記推定に少なくとも基づいて修正されたＨＡＲＱ報告を予期するかどうかを決定することと、をさらに備える請求項９に記載の方法。
【請求項１１】
前記ＵＥからＨＡＲＱフィードバック動作修正指示を受信することをさらに備え、前記ＨＡＲＱフィードバック動作修正指示は、前記ＨＡＲＱフィードバック動作が修正されたことを指示する、請求項９に記載の方法。
【請求項１２】
前記ＨＡＲＱフィードバック動作修正指示を受信することは、
非周期的な要求に応答して、または周期的に、前記ＨＡＲＱフィードバック動作修正指示を受信することを備える、請求項１１に記載の方法。
【請求項１３】
前記ＨＡＲＱフィードバック動作修正指示を受信することは、
メディア・アクセス制御（ＭＡＣ）レイヤ・ペイロードの一部として、または物理レイヤ・ペイロードの一部として前記ＨＡＲＱフィードバック動作修正指示を受信することを備える、請求項１２に記載の方法。
【請求項１４】
送信デバイスにおけるワイヤレス通信のための装置であって、前記送信デバイスは基地局であり、前記装置は、
ユーザ機器（ＵＥ）にデータ送信を送信するための手段と、
通信を制限するために電力制限されている前記ＵＥからの指示にしたがってＨＡＲＱフィードバックの不在を受信するための手段と、を備える、装置。
【請求項１５】
サウンディング基準信号（ＳＲＳ）送信を使用してチャネル条件を推定するための手段と、
チャネル条件の前記推定に少なくとも基づいて修正されたＨＡＲＱ報告を予期するかどうかを決定するための手段と、をさらに備える請求項１４に記載の装置。
【手続補正２】
【補正対象書類名】明細書
【補正対象項目名】０１７７
【補正方法】変更
【補正の内容】
【０１７７】
[0189]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲であると認められるべきである。
以下に本願の出願当初の特許請求の範囲に記載された発明を付記する。
［Ｃ１］
受信デバイスにおけるワイヤレス通信のための方法であって、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を備える、方法。
［Ｃ２］
ＨＡＲＱフィードバックがオフにされるべきであることを指示するデバイス構成を受信することをさらに備え、ここにおいて前記デバイス構成は、判断されるべき前記条件である、Ｃ１に記載の方法。
［Ｃ３］
前記データ送信のためのＨＡＲＱフィードバックがオフにされるべきであることの指示を制御チャネルにおいて受信することをさらに備え、ここにおいて前記指示は、判断されるべき前記条件である、Ｃ１に記載の方法。
［Ｃ４］
ＨＡＲＱフィードバックとして含むための情報を決定するための前記条件を判断することは、
前記受信デバイスが電力制限されていることを決定することと、前記決定に少なくとも部分的に基づいて、ＨＡＲＱフィードバックがオフにされるべきことを決定することと、を備える、Ｃ１に記載の方法。
［Ｃ５］
ＨＡＲＱフィードバックとして含むための情報を決定するための前記条件を判断することは、
変調および符号化スキーム（ＭＣＳ）インデックスを受信することと、
前記ＭＣＳインデックスがＭＣＳインデックスしきい値を下回ることを決定することと、前記決定に少なくとも部分的に基づいて、ＨＡＲＱフィードバックがオフにされるべきことを決定することと、を備える、Ｃ１に記載の方法。
［Ｃ６］
前記条件に少なくとも部分的に基づいて前記ＨＡＲＱフィードバック動作を修正することは、
否定応答（ＮＡＫ）報告を排除するために前記ＨＡＲＱフィードバック動作を修正することを備える、Ｃ１に記載の方法。
［Ｃ７］
ＮＡＫ報告を排除するために前記ＨＡＲＱフィードバック動作を修正することは、制御チャネルにおいて受信される指示に少なくとも部分的に基づいてＮＡＫ報告を排除することと、前記受信デバイスにおける基準信号の受信された電力が所定のしきい値を下回ることの決定に少なくとも部分的に基づいてＮＡＫ報告を排除することとのどちらか一方または両方を備える、Ｃ６に記載の方法。
［Ｃ８］
前記条件に少なくとも部分的に基づいて前記ＨＡＲＱフィードバック動作を修正することは、
肯定応答（ＡＣＫ）報告を排除するために前記ＨＡＲＱフィードバック動作を修正することを備える、Ｃ１に記載の方法。
［Ｃ９］
ＡＣＫ報告を排除するために前記ＨＡＲＱフィードバック動作を修正することは、制御チャネルにおいて受信される指示に少なくとも部分的に基づいてＡＣＫ報告を排除することと、前記受信デバイスが電力制限されていることの決定に少なくとも部分的に基づいてＡＣＫ報告を排除することと、前記受信デバイスにおける基準信号の受信された電力が所定のしきい値を上回ることの決定に少なくとも部分的に基づいてＡＣＫ報告を排除することとの、少なくとも１つを備える、Ｃ８に記載の方法。
［Ｃ１０］
ＨＡＲＱフィードバックとして含むための情報を決定するための前記条件を判断することは、
チャネルまたはトラフィック条件を決定することを備える、Ｃ１に記載の方法。
［Ｃ１１］
前記条件に少なくとも部分的に基づいて前記ＨＡＲＱフィードバック動作を修正することは、
前記データ送信のために使用される送信時間インターバル（ＴＴＩ）より長いＨＡＲＱフィードバックのためのＴＴＩを使用することを備える、Ｃ１に記載の方法。
［Ｃ１２］
前記ＨＡＲＱフィードバック動作が修正されたことの指示を、前記データ送信を送った送信デバイスに送信することをさらに備える、Ｃ１に記載の方法。
［Ｃ１３］
前記指示を送信することは、
非周期的な要求に応答して、または周期的に、前記指示を送信することを備える、Ｃ１２に記載の方法。
［Ｃ１４］
前記指示を送信することは、
メディア・アクセス制御（ＭＡＣ）レイヤ・ペイロードの一部として、または物理レイヤ・ペイロードの一部として前記指示を含むことを備える、Ｃ１２に記載の方法。
［Ｃ１５］
受信デバイスにおけるワイヤレス通信のための装置であって、
データ送信を受信するための手段と、
前記データ送信に応答してハイブリッド自動再送要求（ＨＡＲＱ）フィードバックとして含むための情報を決定するための条件を判断するための手段と、
前記条件に少なくとも部分的に基づいてＨＡＲＱフィードバック動作を修正するための手段と、を備える、装置。
［Ｃ１６］
ＨＡＲＱフィードバックがオフにされるべきであることを指示するデバイス構成を受信するための手段をさらに備え、ここにおいて前記デバイス構成は、判断されるべき前記条件である、Ｃ１５に記載の装置。
［Ｃ１７］
前記データ送信のためのＨＡＲＱフィードバックがオフにされるべきであることの指示を制御チャネルにおいて受信するための手段をさらに備え、ここにおいて前記指示は、判断されるべき前記条件である、Ｃ１５に記載の装置。
［Ｃ１８］
ＨＡＲＱフィードバックとして含むための情報を決定するための前記条件を判断するための前記手段は、
前記受信デバイスが電力制限されていることを決定することと、前記決定に少なくとも部分的に基づいて、ＨＡＲＱフィードバックがオフにされるべきことを決定するための手段と、を備える、Ｃ１５に記載の装置。
［Ｃ１９］
ＨＡＲＱフィードバックとして含むための情報を決定するための前記条件を判断するための前記手段は、
変調および符号化スキーム（ＭＣＳ）インデックスを受信するための手段と、
前記ＭＣＳインデックスがＭＣＳインデックスしきい値を下回ることを決定し、前記決定に少なくとも部分的に基づいて、ＨＡＲＱフィードバックがオフにされるべきことを決定するための手段と、を備える、Ｃ１５に記載の装置。
［Ｃ２０］
前記条件に少なくとも部分的に基づいて前記ＨＡＲＱフィードバック動作を修正するための前記手段は、
否定応答（ＮＡＫ）報告を排除するために前記ＨＡＲＱフィードバック動作を修正するための手段を備える、Ｃ１５に記載の装置。
［Ｃ２１］
ＮＡＫ報告を排除するために前記ＨＡＲＱフィードバック動作を修正するための前記手段は、制御チャネルにおいて受信される指示に少なくとも部分的に基づいてＮＡＫ報告を排除するための手段と、前記受信デバイスにおける基準信号の受信された電力が所定のしきい値を下回ることの決定に少なくとも部分的に基づいてＮＡＫ報告を排除するための手段とのどちらか一方または両方を備える、Ｃ２０に記載の装置。
［Ｃ２２］
前記条件に少なくとも部分的に基づいて前記ＨＡＲＱフィードバック動作を修正するための前記手段は、
肯定応答（ＡＣＫ）報告を排除するために前記ＨＡＲＱフィードバック動作を修正するための手段を備える、Ｃ１５に記載の装置。
［Ｃ２３］
ＡＣＫ報告を排除するために前記ＨＡＲＱフィードバック動作を修正するための前記手段は、制御チャネルにおいて受信される指示に少なくとも部分的に基づいてＡＣＫ報告を排除するための手段と、前記受信デバイスが電力制限されていることの決定に少なくとも部分的に基づいてＡＣＫ報告を排除するための手段と、前記受信デバイスにおける基準信号の受信された電力が所定のしきい値を上回ることの決定に少なくとも部分的に基づいてＡＣＫ報告を排除するための手段との、少なくとも１つを備える、Ｃ２２に記載の装置。
［Ｃ２４］
ＨＡＲＱフィードバックとして含むための情報を決定するための前記条件を判断するための前記手段は、
チャネルまたはトラフィック条件を決定するための手段を備える、Ｃ１５に記載の装置。
［Ｃ２５］
前記条件に少なくとも部分的に基づいて前記ＨＡＲＱフィードバック動作を修正するための前記手段は、
前記データ送信のために使用される送信時間インターバル（ＴＴＩ）より長いＨＡＲＱフィードバックのためのＴＴＩを使用するための手段を備える、Ｃ１５に記載の装置。
［Ｃ２６］
前記ＨＡＲＱフィードバック動作が修正されたことの指示を、前記データ送信を送った送信デバイスに送信するための手段をさらに備える、Ｃ１５に記載の装置。
［Ｃ２７］
前記指示を送信するための前記手段は、
非周期的な要求に応答して、または周期的に、前記指示を送信するための手段を備える、Ｃ２６に記載の装置。
［Ｃ２８］
前記指示を送信するための前記手段は、
メディア・アクセス制御（ＭＡＣ）レイヤ・ペイロードの一部として、または物理レイヤ・ペイロードの一部として前記指示を含むための手段を備える、Ｃ２６に記載の装置。
［Ｃ２９］
受信デバイスにおけるワイヤレス通信のための装置であって、
プロセッサと、
前記プロセッサと電子通信状態にあるメモリと、
前記メモリに記憶された命令と、を備え、前記命令は、
データ送信を受信することと、
前記データ送信に応答してハイブリッド自動再送要求（ＨＡＲＱ）フィードバックとして含むための情報を決定するための条件を判断することと、
前記条件に少なくとも部分的に基づいてＨＡＲＱフィードバック動作を修正することと、を前記プロセッサによって実行可能である、装置。
［Ｃ３０］
送信デバイスにおけるワイヤレス通信のための方法であって、
ハイブリッド自動再送要求（ＨＡＲＱ）フィードバック動作が修正されるべきであることの指示を送信することと、
前記指示にしたがってＨＡＲＱフィードバックの不在またはＨＡＲＱフィードバックを受信することと、を備える、方法。
［Ｃ３１］
前記ＨＡＲＱフィードバック動作が修正されるべきであることの前記指示を送信することは、
ＨＡＲＱフィードバックがオフにされるべきことを指示するデバイス構成を送信することを備える、Ｃ３０に記載の方法。
［Ｃ３２］
前記ＨＡＲＱフィードバック動作が修正されるべきであることの前記指示を送信することは、
ＨＡＲＱフィードバックがオフにされるべきことの前記指示を制御チャネルにおいて送信することを備える、Ｃ３０に記載の方法。
［Ｃ３３］
前記ＨＡＲＱフィードバック動作が修正されるべきであることの前記指示を送信することは、
変調および符号化スキーム（ＭＣＳ）インデックスしきい値を下回るＭＣＳインデックスを有するデータ送信に関して受信デバイスがＨＡＲＱフィードバックをオフにするべきことを前記受信デバイスに指示するために、前記ＭＣＳインデックスしきい値を送信することを備える、Ｃ３０に記載の方法。
［Ｃ３４］
前記ＭＣＳインデックスしきい値が、無線リソース制御（ＲＲＣ）シグナリングを介して送信される、Ｃ３３に記載の方法。
［Ｃ３５］
前記ＨＡＲＱフィードバック動作が修正されるべきであることの前記指示を送信することは、
前記ＨＡＲＱフィードバック動作が否定応答（ＮＡＫ）報告を排除することによって修正されるべきことの前記指示を送信することを備える、Ｃ３０に記載の方法。
［Ｃ３６］
制御チャネルにおいて前記指示を送信することをさらに備える、Ｃ３５に記載の方法。
［Ｃ３７］
前記ＨＡＲＱフィードバック動作が修正されるべきであることの前記指示を送信することは、
前記ＨＡＲＱフィードバック動作が肯定応答（ＡＣＫ）報告を排除することによって修正されるべきことの前記指示を送信することを備える、Ｃ３０に記載の方法。
［Ｃ３８］
制御チャネルにおいて前記指示を送信することをさらに備える、Ｃ３７に記載の方法。
［Ｃ３９］
サウンディング基準信号（ＳＲＳ）送信を使用してチャネル条件を推定することと、チャネル条件の前記推定に少なくとも基づいて修正されたＨＡＲＱ報告を予期するかどうかを決定することと、をさらに備えるＣ３０に記載の方法。
［Ｃ４０］
前記指示にしたがってＨＡＲＱフィードバックの不在またはＨＡＲＱフィードバックを受信することは、
ＨＡＲＱフィードバックが反応するデータ送信のために使用される送信時間インターバル（ＴＴＩ）より長いＴＴＩにおいてＨＡＲＱフィードバックを受信することを備える、Ｃ３０に記載の方法。
［Ｃ４１］
前記ＨＡＲＱフィードバックを提供するデバイスからＨＡＲＱフィードバック動作修正指示を受信することをさらに備え、前記ＨＡＲＱフィードバック動作修正指示は、前記ＨＡＲＱフィードバック動作が修正されたことを指示する、Ｃ３０に記載の方法。
［Ｃ４２］
前記ＨＡＲＱフィードバック動作修正指示を受信することは、
非周期的な要求に応答して、または周期的に、前記ＨＡＲＱフィードバック動作修正指示を受信することを備える、Ｃ４１に記載の方法。
［Ｃ４３］
前記ＨＡＲＱフィードバック動作修正指示を受信することは、
メディア・アクセス制御（ＭＡＣ）レイヤ・ペイロードの一部として、または物理レイヤ・ペイロードの一部として前記ＨＡＲＱフィードバック動作修正指示を受信することを備える、Ｃ４１に記載の方法。
［Ｃ４４］
送信デバイスにおけるワイヤレス通信のための装置であって、
ハイブリッド自動再送要求（ＨＡＲＱ）フィードバック動作が修正されるべきであることの指示を送信するための手段と、
前記指示にしたがってＨＡＲＱフィードバックの不在またはＨＡＲＱフィードバックを受信するための手段と、を備える、装置。
［Ｃ４５］
前記ＨＡＲＱフィードバック動作が修正されるべきであることの前記指示を送信するための前記手段は、
ＨＡＲＱフィードバックがオフにされるべきことを指示するデバイス構成を送信するための手段を備える、Ｃ４４に記載の装置。
［Ｃ４６］
前記ＨＡＲＱフィードバック動作が修正されるべきであることの前記指示を送信するための前記手段は、
ＨＡＲＱフィードバックがオフにされるべきことの前記指示を制御チャネルにおいて送信するための手段を備える、Ｃ４４に記載の装置。
［Ｃ４７］
前記ＨＡＲＱフィードバック動作が修正されるべきであることの前記指示を送信するための前記手段は、
変調および符号化スキーム（ＭＣＳ）インデックスしきい値を下回るＭＣＳインデックスを有するデータ送信に関して受信デバイスがＨＡＲＱフィードバックをオフにするべきことを前記受信デバイスに指示するために、前記ＭＣＳインデックスしきい値を送信するための手段を備える、Ｃ４４に記載の装置。
［Ｃ４８］
前記ＭＣＳインデックスしきい値が、無線リソース制御（ＲＲＣ）シグナリングを介して送信される、Ｃ４７に記載の装置。
［Ｃ４９］
前記ＨＡＲＱフィードバック動作が修正されるべきであることの前記指示を送信するための前記手段は、
前記ＨＡＲＱフィードバック動作が否定応答（ＮＡＫ）報告を排除することによって修正されるべきことの前記指示を送信するための手段を備える、Ｃ４４に記載の装置。
［Ｃ５０］
制御チャネルにおいて前記指示を送信するための手段をさらに備える、Ｃ４９に記載の装置。
［Ｃ５１］
前記ＨＡＲＱフィードバック動作が修正されるべきであることの前記指示を送信するための前記手段は、
前記ＨＡＲＱフィードバック動作が肯定応答（ＡＣＫ）報告を排除することによって修正されるべきことの前記指示を送信するための手段を備える、Ｃ４４に記載の装置。
［Ｃ５２］
制御チャネルにおいて前記指示を送信するための手段をさらに備える、Ｃ５１に記載の装置。
［Ｃ５３］
サウンディング基準信号（ＳＲＳ）送信を使用してチャネル条件を推定するための手段と、
チャネル条件の前記推定に少なくとも基づいて修正されたＨＡＲＱ報告を予期するかどうかを決定するための手段と、をさらに備えるＣ４４に記載の装置。
［Ｃ５４］
前記指示にしたがってＨＡＲＱフィードバックの不在またはＨＡＲＱフィードバックを受信するための前記手段は、
ＨＡＲＱフィードバックが反応するデータ送信のために使用される送信時間インターバル（ＴＴＩ）より長いＴＴＩにおいてＨＡＲＱフィードバックを受信するための手段を備える、Ｃ４４に記載の装置。
［Ｃ５５］
前記ＨＡＲＱフィードバックを提供するデバイスからＨＡＲＱフィードバック動作修正指示を受信するための手段をさらに備え、前記ＨＡＲＱフィードバック動作修正指示は、前記ＨＡＲＱフィードバック動作が修正されたことを指示する、Ｃ４４に記載の装置。
［Ｃ５６］
前記ＨＡＲＱフィードバック動作修正指示を受信するための前記手段は、
非周期的な要求に応答して、または周期的に、前記ＨＡＲＱフィードバック動作修正指示を受信するための手段を備える、Ｃ５５に記載の装置。
［Ｃ５７］
前記ＨＡＲＱフィードバック動作修正指示を受信するための前記手段は、
メディア・アクセス制御（ＭＡＣ）レイヤ・ペイロードの一部として、または物理レイヤ・ペイロードの一部として前記ＨＡＲＱフィードバック動作修正指示を受信するための手段を備える、Ｃ５５に記載の装置。
［Ｃ５８］
送信デバイスにおけるワイヤレス通信のための装置であって、プロセッサと、
前記プロセッサと電子通信状態にあるメモリと、
前記メモリに記憶された命令と、を備え、前記命令は、
ハイブリッド自動再送要求（ＨＡＲＱ）フィードバック動作が修正されるべきであることの指示を送信することと、
前記指示にしたがってＨＡＲＱフィードバックの不在またはＨＡＲＱフィードバックを受信することと、を前記プロセッサによって実行可能である、装置。